(57)【要約】【課題】衛生的に唾液等の体液を採取する。【解決手段】唾液採取キットは、唾液採取シート１と、唾液採取シート１を収納するケース１１と、ケース１１に装着して唾液採取シート１上を押圧スライドする押圧部材１６とからなる。ケース１１は、唾液採取シート１を保持するケース本体１２と、唾液採取シート１の上面を覆う蓋体１３とを可撓性のヒンジ１５を介して連結する。蓋体１３は、押圧部材１６の頭部１６ａを挿入するスライド溝部１３ｂを唾液採取シート１の延在方向に形成する。押圧部材１６の頭部１６ａを押圧し、スライド溝部１３ｂに沿って押圧部材１６を回収孔５方向にスライドさせ、吸収体２に蓄えられている唾液を押し出して回収孔５から回収する。【選択図】図２
2007271569.tif 000002
【特許請求の範囲】
【請求項１】
シート状の吸収体がフィルムで被覆されていて体液を付着する吸着部と付着された体液を回収する回収部とが設けられた体液採取シートと、該体液採取シートを収納するケースと、該ケースにスライド可能に設けられていて前記体液採取シートに付着した体液を前記回収部から取り出す押圧部材とを備えることを特徴とする体液採取キット。
【発明の詳細な説明】
【技術分野】
【０００１】
本発明は、唾液などの体液を採取するための体液採取キットに関する。
【背景技術】
【０００２】
唾液は、消化作用、抗菌作用、再石灰化作用など様々な機能を有している。この唾液に含まれる虫歯菌（ミュータンス菌・ラクトバチラス菌）の量や唾液の分泌量などを検査することにより、虫歯に対する抵抗力や歯周病の有無・進行度などを測定することができる。また、近年では、耳下腺唾液を検査することにより、サプリメントとして知られるコエンザイムＱ１０を吸収しやすい体質かどうか知ることができる。
【０００３】
唾液検査のための唾液採取器具としては、例えば特許文献１に記載されたものがある。この唾液採取器具は、内周面に雌ねじ部が形成された円筒部材と、当該円筒部材の一方の端部にフィルターを介して装着される採取容器と、外周面に雄ねじ部が形成されていて円筒部材の他方の端部から螺挿されるピストンと、スポンジのような塊状の吸収体とから構成されている。
唾液を採取する場合は、吸収体を口の中に入れて吸収体に唾液を吸収させた後、一方の端部に採取容器が装着された円筒部材の他方の端部から、唾液で飽和した吸収体を円筒部材内に挿入する。そして、円筒部材の他方の端部からピストンを螺挿して吸収体を圧縮し、採取容器に唾液を採取する。
しかしながら、上記唾液採取器具は、部品数が多く、ねじ部を形成せねばならないなど加工に手間が掛かるため、コストが掛かるという問題がある。また、吸収体が塊状であるため取扱いが不便であるうえ、インジケータがないため、採取される唾液量が被験者によってまちまちになるという問題もある。
【０００４】
そこで、特許文献２では、帯状の柔軟な不織布からなる親水性吸収体の表裏両面を透明なフィルムで被覆するとともに、口腔内分泌液の吸収部、保液部、保液量の確認表示部、および回収孔を直線状に連ねて配置した口腔内分泌液の採取兼回収器具が考案されている。
この採取兼回収器具により唾液を採取するには、採取兼回収器具の吸収部を被験者の口に含んだ状態で保液量の確認表示部を目視し、保液量の確認表示部の色が変化した時点で採取兼回収器具を口から取り出す。そして、検査者が採取兼回収器具を受け取って、ピンセット状の加圧器具を用いて採取兼回収器具を挟んで回収孔に向けて加圧スライドさせ、回収孔から唾液を回収する。
この口腔内分泌液の採取兼回収器具は、保液量の確認表示部を備えているため、適量の唾液を採取できるうえ、安価な部材で極めて容易に製造することができる。
【特許文献１】米国特許第４４１８７０２号明細書
【特許文献２】国際公開第０２／０８６４５３号パンフレット
【発明の開示】
【発明が解決しようとする課題】
【０００５】
しかし、上述した採取兼回収器具の場合、ピンセット状の加圧器具で採取兼回収器具を挟み回収孔に向けて加圧スライドさせて唾液を回収するため、検査者が加圧器具を加圧スライドさせる際に透明フィルムに付着している唾液や加圧器具で押し出された唾液に触れることがあり、衛生的ではないことに加えて、様々な菌が唾液に含まれているために院内感染のおそれもある。
【０００６】
本発明は、上述する問題点に鑑みてなされたもので、衛生的に体液を採取することができる体液採取キットを提供することを目的とする。
【課題を解決するための手段】
【０００７】
上記目的を達成するため、本発明に係る体液採取キットは、シート状の吸収体がフィルムで被覆されていて体液を付着する吸着部と付着された体液を回収する回収部とが設けられた体液採取シートと、該体液採取シートを収納するケースと、該ケースにスライド可能に設けられていて体液採取シートに付着した体液を回収部から取り出す押圧部材とを備えることを特徴とする。
本発明は、体液を吸着部に付着させて蓄えられた体液採取シートをケースに収納して、当該体液採取シート上に押圧部材をセットし、押圧部材を回収部に向けて押圧しながらスライドさせることで吸収体に蓄えられている体液を押し出して移動させ回収部から回収する。そのため、検査者が体液採取シートに接触することなく体液を回収できる。
【発明の効果】
【０００８】
本発明によれば、体液が蓄えられた体液採取シートをケースに収納した状態で押圧部材をスライドさせることにより体液を回収部から取り出すことができるので、取り扱いが容易である上に、体液を体液採取シートから回収させる際に体液に触れずに済み衛生的である。また、構造がシンプルであるため、製造コストを低く抑えて大量生産することが可能である。
【発明を実施するための最良の形態】
【０００９】
本発明に係る体液採取キットは、ケースが、体液採取シートを収容するケース本体及び蓋体とからなり、ケース本体には体液採取シートが収納される凹陥部が形成されるとともに、当該凹陥部の一端は外部に開放する開口とされ、蓋体には押圧部材の頭部が摺動可能に挿入されるスライド溝部が体液採取シートの延在方向に形成されていることが好ましい。
本発明によれば、体液採取シートをケース本体と蓋体とで収容して保持した状態で、蓋体に形成されたスライド溝部に沿って押圧部材を摺動させることによって体液採取シートに含まれる体液が押し出されて回収部からケースの開口を通して取り出されるため、検査者は体液の回収に際して体液採取シートや体液に接触するおそれがなく衛生的である。
また本発明に係る体液採取キットは、ケースが、体液採取シートを収容するケース本体からなり、ケース本体には体液採取シートが収納される凹陥部が形成されるとともに、当該凹陥部の一端は外部に開放する開口とされ、ケース本体に摺動可能に装着されていて体液採取キットを押圧スライドする押圧部材が設けられていてもよい。
本発明によれば蓋がないため、一層低廉に製造できる。
【００１０】
また、本発明では、押圧部材の先端部に平面視略円弧状の凹部が形成されていてもよい。
押圧部材を体液採取シートに沿って押圧スライドさせた際に、吸収体から搾り出される体液が拡散することなく体液採取シートの中央部に集まるよう移動するため、吸収体に蓄えられた体液を無駄なく回収することができる。
また、本発明では、押圧部材を押圧スライドさせる際に体液採取シートが移動しないように、ケースにずれ防止部を備えていることが好ましい。
また、本発明では、ケース本体と蓋体とがヒンジを介して連結されていてもよい。これにより、ケースの取扱いが一層簡便になり、体液採取シートをケースに容易に収納することができる。
【００１１】
また、本発明では、回収した体液を溜める採取容器をケースに着脱可能としてもよい。これにより、体液をケースの開口から回収する際に体液が飛散したりせず衛生的かつ効率的に体液を採取容器に回収することができる。
【実施例】
【００１２】
以下、本発明による体液採取キットの各実施例について図面に基づいて説明する。なお、以下の説明では、押圧部材から見て、押圧部材が体液を体液採取キットから押し出すためにスライドする方向を「先」、その反対方向を「後」と便宜上、呼ぶことにする。
本発明の第一実施例による体液採取キットとして唾液採取キットを図１及び図２により説明する。図１は唾液採取キットの斜視図、図２は唾液採取キットの分解斜視図を示す。
第一実施例による唾液採取キット１０は、唾液採取シート１と、唾液採取シート１を収納するケース１１と、ケース１１に装着されていて唾液採取シート１上を押圧スライドする押圧部材１６とから構成されている。
【００１３】
唾液採取シート１は、例えば柔軟な不織布からなるシート状、例えば略帯状の吸収体２の表裏両面をポリエチレンやポリプロピレンなどの透明なフィルム３で被覆(ラミネート)したものである。唾液採取シート１の一方の端部は唾液を吸収する吸着部４とされ、吸着部４にはフィルム３の開口部３ａが形成され、そこから吸収体２の一方の端部が露出している。吸着部４は唾液採取シート１の表裏両面に設けられていることが好ましいが、片面でもよい。
また、唾液採取シート１の他方の端部は唾液を回収する回収部としての回収孔５とされ、回収孔５に設けられたフィルム３の開口部から吸収体２の他方の端部が露出している。吸着部４から吸収体２内に吸収された唾液は毛管現象により吸収体２内を他端側である回収孔５方向へ移動可能である。
なお、吸収体２の先端側である回収孔５の近傍には、唾液を検出する試薬が塗布されていて着色された検知部６とされている。一定量の唾液が検知部６を通過すると検知部６が変色するので、適量の唾液が吸収体２に吸着されたことを確認できる。
【００１４】
ケース１１は、唾液採取シート１を保持するケース本体１２と、唾液採取シート１の上面を覆う蓋体１３とから構成されており、例えば樹脂製とされ、その厚さは１〜３ｍｍ程度である。ケース本体１２および蓋体１３は例えば略短冊形状の板材からなり、ケース本体１２と蓋体１３の対向する一辺は、可撓性の薄板からなるヒンジ１５を介して連結されている。
蓋体１３と対向するケース本体１２の一方の面には、唾液採取シート１と略同形状の凹陥部１４が形成されている。ケース本体１２の先端部１９は平面視略テーパー状とされ、凹陥部１４につながる開口１４ａが先端に形成されている。一方、蓋体１３には、押圧部材１６の頭部１６ａが挿入されるスライド溝部１３ｂが唾液採取シート１の長手方向に穿孔されて形成されている。
また、蓋体１３の裏面には凸ピン１３ａ…が形成されるとともに、対向するケース本体１２の上面には嵌合凹部１２ａ…が形成され、各凸ピン１３ａが対向する嵌合凹部１２ａに嵌入することにより、蓋体１３がケース本体１２に固定される。
なお、収納した唾液採取シート１がケース１１の外から見えるように、ケースを透明にしてもよい。
【００１５】
押圧部材１６は、スライド溝部１３ｂと略同じ幅の頭部１６ａと、その側方両側に突出形成された側板部１６ｂ、１６ｂと、吸収体２と略同じ幅の板状の先端部１７とから構成されている。先端部１７のスライド方向先端面には、平面視略円弧状の凹部１７ａが形成されている。図３（ａ）に示すように、先端部１７の端面は平面視略直線状の平滑面でもよいが、押圧部材１６を押圧スライドさせると吸収体２から搾り出された唾液Ｓの一部が側方に逃げてしまう。そのため、図３（ｂ）に示すように、先端部１７の端面に平面視略円弧状の凹部１７ａを設けることがより好ましく、これにより吸収体２から搾り出された唾液Ｓが唾液採取シート１の中央部に集まり、無駄なく唾液Ｓを回収することができる。
また、押圧部材１６は樹脂または金属製とされ、押圧部材１６と唾液採取シート１との間の摩擦抵抗を小さくするため、摩擦係数の低いアルミのフィルムシートなどを押圧部材１６の裏面に貼着してもよい。
【００１６】
本実施例による唾液採取キット１０は上述の構成を備えており、次に唾液採取キット１０を用いて唾液を採取する方法について説明する。
先ず、被験者は唾液採取シート１の吸着部４を口に含み、検知部６の色が変化した時点で唾液採取シート１を口から取り出す。図２に示すように、唾液が蓄えられた唾液採取シート１をケース本体１２の凹陥部１４に載置する。そして、唾液採取シート１の後方に押圧部材１６をセットし、ケース本体１２と蓋体１３とを密着させて固定する。
このとき、押圧部材１６は唾液採取シート１の吸着部４の上部に位置するため、吸着部４の部分に吸着されている一部の唾液を押し出せないが、少なくとも押圧部材１６より前方の吸収体２に吸着された唾液を吸着でき、これを採取することで十分な検査を行える。
この唾液採取キット１０を被験者等から受け取った検査者は、ケース１１後部の把持部１８を掴み、押圧部材１６の頭部１６ａを指で押圧し、スライド溝部１３ｂに沿って押圧部材１６を回収孔５方向にスライドさせる。これにより、吸収体２に蓄えられている唾液が絞り出されて移動し回収孔５に集められ、回収孔５から唾液を押し出してケース１１の開口部１４ａを通して回収することができる。
【００１７】
上述のように本実施例による唾液採取キット１０では、唾液が蓄えられた唾液採取シート１をケース１１に収納し、スライド溝部１３ｂに沿って押圧部材１６を押圧スライドさせて唾液を絞り出して回収孔５から回収できる。このため唾液採取キット１０の取り扱いが容易で、唾液を回収する際に検査者が唾液採取シート１や唾液に接触することがなく衛生的である。また、機構がシンプルであるため、製造コストを低く抑えて大量生産することが可能である。
【００１８】
次に、本発明に係る唾液採取キットの他の実施例について説明するが、上述の第一実施例と同一、同様の部材、部品には同一の符号を用いて説明を省略する。
図４に、第二実施例における唾液採取キットの分解斜視図を示す。なお、押圧部材は、第一実施例と同じものを使用するため、図示は省略している。
第二実施例は、先の第一実施例と概観は略同じ構成であるが、ケース２１を構成するケース本体２２と蓋体２３が別体とされており、蓋体２３の裏面に形成された凸ピン２３ａ…を、ケース本体２２の上面に形成された嵌合凹部２２ａ…に嵌入して、蓋体２３をケース本体２２に固定する。
また、ケース本体２２の凹陥部２４の側壁２２ｃには、内側に突出する突設部２２ｂが形成されており、唾液採取シート１の側縁部に形成された切欠部１ａと係合し、ずれ防止部として押圧スライド時に唾液採取シート１がずれたり撓んだりするのを防止している。
【００１９】
第三実施例による唾液採取キットを図５、図６，図７により説明する。図５（ａ）は唾液採取キットの平面図、（ｂ）は側断面図、図６（ａ）、（ｂ）はケースの平面図と側面図、図７（ａ）、（ｂ）、（ｃ）は押圧部材の平面図、裏面図、裏面図のＡ−Ａ線断面図である。
本実施例における唾液採取キット３０は、図５及び図６に示すようにケース３１がケース本体３２のみからなり、蓋体がない点が先の二つの実施例と異なっている。
押圧部材３６の頭部３６ａは図７に示すように略Ｃ字形断面をしており、頭部３６ａがケース本体３２に摺動可能に外嵌されている。押圧部材３６は、ケース本体３２の側面部に沿ってスライドするようになっており、ケース本体３２の上面部後方に係止部３２ｄを設けているため、押圧部材３６がケース本体３２から抜け出ることはない。
また、第二実施例と同じく、唾液採取シート１がずれないように、ケース本体３２の凹陥部３４の側壁３２ｃには、内側に突出する突設部３２ｂ…が形成されている。唾液採取シート１はケース本体３２の凹陥部３４の座面と両側壁３２ｃの突設部３２ｂ…との間に挟まれて保持され、押圧部材３６の押圧スライド時にずれたり撓んだりすることを防止できる。
なお、ケース本体３２の後端部は、押圧スライド時に持ちやすいように把持部３８とされ、円筒状の先端部３９には、後述する第四実施例と同様に、採取容器Ｖを装着できるようになっている。
また、押圧部材３６が係止部３２ｄに当接した押圧スライド開始位置で、その先端部１７ａはケース本体３２に収容された唾液採取シート１の吸着部４に形成したフィルム３の開口部３ａより先方側に位置する。これによって、押圧スライド時に先端部１７ａが開口部３ａに引っかかることを防止できる。この構成については他の実施例においても同様にすることが好ましい。
【００２０】
図８は第四実施例による唾液採取キットの分解斜視図である。
本実施例も第三実施例と同様、ケース４１がケース本体４２のみからなり、ケース本体４２の後端部は、押圧スライド時に持ちやすいように把持部４８とされ、例えば円筒状の先端部４９には、採取容器Ｖを装着することができる。
ケース本体４２の凹陥部４４の側壁４２ｃには、内側に突出する板状の突設部４２ｂが設置されており、突設部４２ｂと凹陥部４４の座面との間に唾液採取シート１を挿入配置する。押圧部材４６は、スリット４５，４５を側壁４２ｃ、４２ｃに嵌合させて唾液採取シート１上を押圧スライドさせる頭部４６ａと、吸収体２と略同じ幅で凹部４７ａを先端に有し且つ両側の突設部４２ｂ、４２ｂ間を摺動して唾液を絞り出す板状の先端部４７と、その側方両側に突出形成され突設部４２ｂの下側を摺動する側板部４７ｂ、４７ｂとを有している。
本実施例では唾液採取キットの蓋１３がないので製造コストがより低廉になる。
【００２１】
次に、各実施例による唾液採取キット１０、３０の変形例について説明する。
図９および図１０は、唾液採取シート１のずれを防止する他の手段を示したものである。
図９では、ケース本体５２の凹陥部５４の座面に凸ピン５２ｂを形成し、唾液採取シート１の周縁部に設けた孔１ｂに凸ピン５２ｂを挿入して唾液採取シート１のずれを防止する。凸ピン５２ｂと孔１ｂがずれ防止部を構成する。
【００２２】
また、図１０では、ケース本体６２の凹陥部６４の座面に格子状の溝６４ｄを形成して摩擦抵抗を大きくし、唾液採取シート１のずれを防止する。溝６４ｄに代えて凸条を形成してもよい。
なお、図示していないが、摩擦抵抗を大きくするために、座面にエラストマーやシリコンゴムなどを貼着してもよいし、ケース本体を塩化ビニール樹脂やアクリル樹脂などすべりにくい材料で形成してもよい。あるいは、唾液採取シート１の周縁部を蓋体とケース本体で挟み付けるようにしてもよい。
【００２３】
図１１および図１２は、押圧部材の変形例を示したものである。
図１１では、押圧部材５６の先端部５７の下面に、平面視略円弧状の凹部５７ａに沿って略半円状の断面を有する突条部５７ｂを形成するものである。これにより、唾液採取シート１と接触する押圧部材５６の面積が減少し、摩擦抵抗が小さくなる。また接触圧が大きくなるため、唾液を吸収体２から確実に絞り出すことができる。
また、図１２では、押圧部材６６の先端部６７を切り欠いて、その部分にローラ６７ｂを取り付け、ローラ６７ｂの回転を利用して吸収体から唾液を搾り出すものである。
【００２４】
図１３及び図１４は唾液採取キット１０の変形例を示すものである。
図１３は第一実施例による唾液採取キット１０の変形例であり、図中、蓋体１３の裏面にはその両側の長辺に沿って例えば板状の一対の押さえ部材１３ｃ、１３ｃが設けられている。蓋体１３をケース本体１２に装着した状態で一対の押さえ部材１３ｃ、１３ｃによって唾液採取シート１の両端部を凹陥部１４の座面に押さえつける。これによって押圧部材１６をスライドさせた際に唾液採取シート１がケース１１内でずれたり撓むのを確実に防ぐことができる。
図１４は第二実施例による唾液採取キット１０の変形例であり、蓋体２３の裏面両側にそれぞれ押さえ部材２３ｃ、２３ｃが設けられている。押さえ部材２３ｃ、２３ｃによってケース２１内の唾液採取シート１を押さえつけることができるのは図１３と同様である。
なお、押さえ部材１３ｃ、２３ｃは必ずしも蓋体１３、２３の長手方向に延びる板状である必要はなく、唾液採取シート１の一部のみを押さえる棒状等の構成であってもよく、その場合、唾液採取シート１の吸着部４側に設けることがずれ等を防ぐために好ましい。
【００２５】
図１５は唾液採取キット１０，３０の先端部３９，４９等の変形例を示すものである。図１５（ａ）は断面略円弧状をなす半円筒状の先端部３９Ａを示す。これにより押圧部材３６、４６等で回収孔５から押し出された唾液がケースまたはケース本体の先端部３９Ａから排出され易い。図１５（ｂ）は断面略円弧状をなす半ロート状の先端部３９Ｂを示す。
これらの場合によれば、唾液が表面張力で先端部に付着することを防いでスムーズに排出・回収できる。
以上、本発明に係る体液採取キットの実施例について唾液採取キット１０，３０を説明したが、本発明は上記の実施例に限定されるものではなく、その趣旨を逸脱しない範囲で適宜変更可能である。また、上記実施例では体液として唾液を例に採り説明しているが、汗や鼻汁など他の体液にも利用することができる。
【図面の簡単な説明】
【００２６】
【図１】本発明の第一実施例による唾液採取キットを示す斜視図である。
【図２】図１に示す唾液採取キットの分解斜視図である。
【図３】押圧部材先端部の部分斜視図であり、（ａ）は先端が平滑な場合、（ｂ）は先端に凹部が形成されている場合を示している。
【図４】本発明の第二実施例による唾液採取キットの分解斜視図である。
【図５】本発明の第三実施例による唾液採取キットを示し、（ａ）はその平面図、（ｂ）は側断面図である。
【図６】図５に示す唾液採取キットのケースを示すもので、（ａ）は平面図、（ｂ）は側面図である。
【図７】第三実施例における押圧部材を示すもので、（ａ）は表側平面図、（ｂ）は裏側平面図、（ｃ）はＡ−Ａ線断面図である。
【図８】本発明の第四実施例による唾液採取キットを示す分解斜視図である。
【図９】唾液採取シートのずれを防止する他の手段を示す図である
【図１０】唾液採取シートのずれを防止する他の手段を示す図である。
【図１１】押圧部材の第一変形例を示す図である。
【図１２】押圧部材の第二変形例を示す図である。
【図１３】第一実施例によるケースの変形例を示す縦断面図である。
【図１４】第二実施例によるケースの変形例を示す縦断面図である。
【図１５】（ａ）、（ｂ）ケースの先端部の第一変形例、第二変形例を示す部分斜視図である。
【符号の説明】
【００２７】
１  唾液採取シート（体液採取シート）
１ａ  切欠部
１ｂ  孔
２  吸収体
３  フィルム
４  吸着部
５  回収孔
６  検知部
１０、３０  唾液採取キット（体液採取キット）
１１、２１、３１、４１  ケース
１２、２２、３２、４２、５２、６２  ケース本体
１３、２３  蓋体
１３ｂ、２３ｂ  スライド溝部
１４、２４、３４、４４、５４、６４  凹陥部
１６、３６、４６、５６、６６  押圧部材
１６ａ、３６ａ、４６ａ  頭部
１７、３７、４７、５７、６７  先端部
１７ａ、３７ａ、４７ａ、５７ａ  凹部
２２ｂ、３２ｂ、４２ｂ  突設部
５２ｂ  凸ピン
Ｖ  採取容器
【図１】
2007271569.tif 000003
【図２】
2007271569.tif 000004
【図３】
2007271569.tif 000005
【図４】
2007271569.tif 000006
【図５】
2007271569.tif 000007
【図６】
2007271569.tif 000008
【図７】
2007271569.tif 000009
【図８】
2007271569.tif 000010
【図９】
2007271569.tif 000011
【図１０】
2007271569.tif 000012
【図１１】
2007271569.tif 000013
【図１２】
2007271569.tif 000014
【図１３】
2007271569.tif 000015
【図１４】
2007271569.tif 000016
【図１５】
2007271569.tif 000017